(57)【要約】【課題】最初の開封までの密封と再封後の密封とを両立させることができるチューブ容器を提供する。【解決手段】一端が閉塞され、内容物を収容することができる筒状の胴部と、胴部の他端に取り付けられた胴部の他端を閉塞可能な注出口部と、注出口部に取り付けられるキャップとを含むチューブ容器であって、胴部の他端は、注出口部の端縁において胴部の一端側とは反対側の面に接着され、注出口部は、環状に形成されたハーフカットと、ハーフカットの内方から延出する摘み部と、ハーフカットよりも外方において胴部とは反対側に向かって延出する筒状の周壁とを備え、キャップは、注出口部に取り付けられた状態で、周壁の内周面に密着して嵌るインナーリングを備え、摘み部を所定の力で引っ張ることによりハーフカットに沿って注出口部の一部を除去して、注出口部に開口を形成することができる。【選択図】図３
2020121732.tif 000002
【特許請求の範囲】
【請求項１】
一端が閉塞され、内容物を収容することができる筒状の胴部と、
前記胴部の他端に取り付けられた前記胴部の他端を閉塞可能な注出口部と、
前記注出口部に取り付けられるキャップとを含むチューブ容器であって、
前記胴部の前記他端は、前記注出口部の端縁において前記胴部の前記一端側とは反対側の面に接着され、
前記注出口部は、
環状に形成されたハーフカットと、
前記ハーフカットの内方から延出する摘み部と、
前記ハーフカットよりも外方において前記胴部とは反対側に向かって延出する筒状の周壁とを備え、
前記キャップは、前記注出口部に取り付けられた状態で、前記周壁の内周面に密着して嵌るインナーリングを備え、
前記摘み部を所定の力で引っ張ることにより前記ハーフカットに沿って前記注出口部の一部を除去して、前記注出口部に開口を形成することができる、
チューブ容器。
【請求項２】
前記キャップは、
前記注出口部に取り付けることができる固定部と、前記固定部にヒンジを介して搖動可能に取り付けられる蓋部とを含むヒンジキャップであって、
前記固定部に、前記インナーリングが設けられている、
請求項１に記載のチューブ容器。
【請求項３】
前記キャップは、
前記周壁に螺着させて取り付けることができるスクリューキャップである、
請求項１に記載のチューブ容器。
【請求項４】
前記キャップは、
前記注出口部に取り付けられた状態で、前記周壁の前記胴部と反対側の端縁に当接するコンタクトリングが設けられている、
請求項２または３に記載のチューブ容器。
【請求項５】
前記摘み部は、前記注出口部と反対側に指を入れることができるリング部を備えるプルリングである、
請求項１から４いずれかに記載のチューブ容器。
【発明の詳細な説明】
【技術分野】
【０００１】
本発明は、チューブ容器に関するものである。
【背景技術】
【０００２】
医薬品、化粧品、食品等を充填して包装することができるチューブ容器が知られている。チュ−ブ容器は、一般に、一端が閉塞されかつ他端が開口した筒状の胴部と、胴部の開口他端に溶着等により取り付けられた、胴部の開口から離れるにしたがって外径が小さくなるテーパ形状に形成された注出口部（肩部とも呼ばれる）とを含む。注出口部の胴部と反対側には、内容物を取り出すことができる開口部が設けられ、チューブ容器の使用者は注出口部に取り付けられたキャップを取り外した後、胴部を押し潰すことにより、開口部から内容物を絞り出すことができる。（特許文献１参照）。
【先行技術文献】
【特許文献】
【０００３】
【特許文献１】特開２０１６−１９９２８０号公報
【発明の概要】
【発明が解決しようとする課題】
【０００４】
このようなチューブ容器では、最初の開封までの密封を行うために、注出口部の外方から開口部を閉塞する易剥離性のフィルムを貼り付けることがある。この場合、易剥離性のフィルムが剥がされた後は、キャップの天板内面に取り付けた発泡スチロール製のパッキンにより再封時の密封を行う。しかしながら、このようなパッキンを用いても、開口部の端縁はフィルムを貼り付ける際に平滑性がなくなり、フィルムをはがした後にはパッキンと開口部の端縁との間に隙間が生じてしまい、再封時の密封性に限界あるという課題があった。
【０００５】
また、再封時の密封性を向上するために、開口部の内周面に密着して嵌ることができるインナーリングをキャップの天板内面に設けたチューブ容器が知られているが、このようなチューブ容器では、易剥離性のフィルムを設けた場合には、インナーリングと干渉するため採用できない。
【０００６】
本発明はこのような課題に鑑みてなされたものであり、最初の開封までの密封と再封後の密封とを両立させることができるチューブ容器を提供することを目的とする。
【課題を解決するための手段】
【０００７】
上記課題を解決するための本発明の一局面は、一端が閉塞され、内容物を収容することができる筒状の胴部と、胴部の他端に取り付けられた胴部の他端を閉塞可能な注出口部と、注出口部に取り付けられるキャップとを含むチューブ容器であって、胴部の他端は、注出口部の端縁において胴部の一端側とは反対側の面に接着され、注出口部は、環状に形成されたハーフカットと、ハーフカットの内方から延出する摘み部と、ハーフカットよりも外方において胴部とは反対側に向かって延出する筒状の周壁とを備え、キャップは、注出口部に取り付けられた状態で、周壁の内周面に密着して嵌るインナーリングを備え、摘み部を所定の力で引っ張ることによりハーフカットに沿って注出口部の一部を除去して、注出口部に開口を形成することができる、チューブ容器である。
【発明の効果】
【０００８】
本発明によれば、最初の開封までの密封と再封後の密封を両立させることができるチューブ容器を提供することができる。
【図面の簡単な説明】
【０００９】
【図１】本発明の第１の実施形態に係るチューブ容器の正面図および側面図
【図２】注出口部の断面図および平面図
【図３】本発明の第１の実施形態に係るチューブ容器の要部を拡大した断面図
【図４】本発明の第２の実施形態に係るチューブ容器の要部を拡大した断面図
【発明を実施するための形態】
【００１０】
本発明の実施形態に係るチューブ容器について、図を参照して説明する。なお、以下の説明では、各実施形態の間で同一または対応する構成については同一の参照符号を付して説明を省略する。
【００１１】
（第１の実施形態）
本発明の第１の実施形態に係るチューブ容器１００は、一端が閉塞された胴部１０と、胴部１０の他端に取り付けられた注出口部２０と、注出口部２０に取り付けられるキャップ３０とを含む。図１に、チューブ容器１００の正面図および側面図を示し、図２に、注出口部２０の平面図およびＢ−Ｂ’線で切断した断面図を示し、図３に、キャップ３０を取り付けた注出口部２０周辺を拡大した図１のＡ−Ａ線で切断した断面図を示す。なお、図１では、便宜上、注出口栓２０にキャップ３０が取り付けられていない状態を示している。
【００１２】
胴部１０は、一端に位置する底部１１が閉塞された、図示しない内容物を収容することができる、軟素材で形成された筒状の部材である。胴部１０は、一例としてフィルムを筒状にした後、底部１１と、胴部１０の長手方向（図１の紙面上下方向）に沿った端縁とのそれぞれにおいて対向するフィルムどうしを接着することにより形成することができる。フィルムどうしの接着方法は、特に限定されないが、例えばフィルムにポリエチレンを含んだ接着層を設けて、これらをヒートシールする方法を用いることができる。
【００１３】
注出口部２０は、胴部１０の他端に位置する頂部１２に取り付けられ、胴部１０の頂部１２を閉塞可能とする部材である。注出口部２０は、一例として、胴部１０の長手方向に直交する平板状の閉塞部２１を備える。図２に示すように、平面視において閉塞部２１は、一例として円板形状であるが、形状は限定されず、楕円、長円、多角形等であってもよい。注出口部２０の材料は、特に限定されないが、直鎖状低密度ポリエチレン、低密度ポリエチレン等の樹脂材料を好適に用いることができる。閉塞部２１を平板状に形成した注出口部２０は、テーパ形状に形成された従来技術に係る注出口部と比較して、使用する材料を低減することができる。なお、閉塞部２１の形状は、後述するハーフカット２２と、摘み部２３と、周壁２４とを形成することができれば、胴部１０の長手方向に直交する平板状でなくてもよく、胴部１０の頂部１２から離れるにしたがって外径が小さくなる肩部を備えるテーパ形状であってもよい。
【００１４】
閉塞部２１は、略中心部に円環状のハーフカット２２と、ハーフカット２２の内方から胴部１０の底部１１とは反対側に向かって延出する摘み部２３と、ハーフカット２２よりも外方において胴部１０の底部１１とは反対側に向かって延出する筒状の周壁２４とを備える。
【００１５】
摘み部２３は、一例として、閉塞部２１から延出する支持部２３ａと、支持部２３ａの注出口部２０と反対側の端部に設けられ、使用者が指を入れることができるように形成されたリング部２３ｂとを含むプルリングである。閉塞部２１が、ハーフカット２２と摘み部２３とを備えることにより、チューブ容器１００の使用者は、摘み部２３を所定の力で引っ張ることによりハーフカット２２に沿って閉塞部２１の一部を除去することができ、これにより、閉塞部２１に内容物を取り出すための開口を形成することができる。このように、チューブ容器１００では、胴部１０の他端を注出口部２０により閉塞し、最初の開封時には、閉塞部２１の一部を除去して注出口部２０に開口を形成することができるため、最初の開封までの密封を行うことができる。
【００１６】
なお、摘み部２３の形状は、使用者が引っ張ることにより閉塞部２１の一部を除去することができればプルリングに限定されず、例えば閉塞部２１から延出する板状の摘み代であってもよい。
【００１７】
図１、図３に示すように、胴部１０の頂部１２は、閉塞部２１の端縁において、閉塞部２１の胴部１０の底部１１とは反対側の面に接着されている。胴部１０と閉塞部２１との接着方法は、特に限定されないが、例えばフィルムの最内層にポリエチレンを含んだ接着層を設けるとともにポリエチレンを含んだ材料で注出口部２０を形成して、これらをヒートシールする方法を用いることができる。
【００１８】
キャップ３０は、注出口部２０に取り付けられ、注出口部２０に形成された開口の閉塞および開放を可能にする部材である。キャップ３０は、一例として注出口部２０に取り付けて固定できる筒状の固定部３１と、固定部３１にヒンジ部３３を介して搖動可能に取り付けられた蓋部３２とを備えるヒンジキャップである。キャップ３０の材料は、特に限定されないが、ポリプロピレン、ポリエチレン、低密度ポリエチレン等の樹脂材料を用いることができる。固定部３１、蓋部３２、およびヒンジ部３３は、一例として、一体的に成形することができる。
【００１９】
固定部３１は、天板３１ａと、内容物を取り出すために天板３１ａに設けられた穴３１ｂと、天板３１ａの注出口部２０に対向する側の面に穴３１ｂを取り囲むように設けられた筒状の第１インナーリング３１ｃと、第１インナーリング３１ｃの外周側の天板３１ａから環状に突出するコンタクトリング３１ｄと、天板３１ａの蓋部３２に対向する側の面に穴３１ｂを取り囲むように設けられた第２インナーリング３１ｅを含む。注出口部２０の開口から取り出された内容物は、穴３１ｂを介してチューブ容器１００の外部へ取り出すことができる。なお、コンタクトリング３１ｄおよび第２インナーリング３１ｅは必須ではない。
【００２０】
第１インナーリング３１ｃは、図３に示すように、注出口部２０に取り付けられた状態で、周壁２４の内周面に密着して嵌ることができるように筒状に形成されている。また、コンタクトリング３１ｄは、注出口部２０に取り付けられた状態で、周壁２４の、胴部１０の底部１１とは反対側の端縁に当接するように設けられている。さらに、第２インナーリング３１ｅは、後述する蓋部３２が穴３１ｂを閉塞した状態で、蓋部３２のインナーリング３２ｃが外周面に密着して嵌ることができるように形成されている。第１インナーリング３１ｃと、コンタクトリング３１ｄと、第２インナーリング３１ｅとは、互いに中心軸が重なるように形成されている。なお、第２インナーリング３１ｅは、蓋部３２のインナーリング３２ｃが内周面に密着して嵌ることができるように形成されていてもよい。
【００２１】
チューブ容器１００では、固定部３１の第１インナーリング３１ｃと第２インナーリング３１ｅとは、一例として、図３に示すように、中心軸が重なり、かつ外周径および内周径が同一に形成されているが、中心軸が重なるように形成されていれば、第１インナーリング３１ｃと第２インナーリング３１ｅとの外周径および内周径のそれぞれは異なっていてもよい。具体的には、第２インナーリング３１ｅの外周径および内周径が、第１インナーリング３１ｃの外周径および内周径のいずれよりも大きく形成されていてもよい。
【００２２】
図３に示すように、固定部３１の穴３１ｂは、平面視において、中心が注出口部２０に形成される開口の中心と重なる位置に形成される。これにより、後述するように、蓋部３２により固定部３１の穴３１ｂを閉塞および開放することにより、注出口部２０に形成される開口の閉塞および開放をすることができる。
【００２３】
固定部３１を注出口部２０へ固定する構造は特に限定されないが、一例として、図３に示すように、周壁２４の先端に外方へ突出する係合爪を設けるとともに、キャップ３０に、先端に内方へ突出する係合爪を備える筒状の係合壁３１ｆを設けて、周壁２４に係合壁３１ｆを嵌めて、周壁２４および係合壁３１ｆの係合爪どうしを互いに嵌合させて固定することができる。
【００２４】
蓋部３２は、ヒンジ部３３を介して搖動させることにより、図３に示すように、固定部３１の穴３１ｂを覆って閉塞することができる部材である。蓋部３２は、周壁３２ａと、天板３２ｂと、筒状のインナーリング３２ｃとを含んで構成される。インナーリング３２ｃは、図３に示すように、蓋部３２が穴３１ｂを閉塞した状態において、固定部３１の第２インナーリング３１ｅの外周面に密着して嵌ることができるように、天板３２ｂの内周側の面に設けられる。
【００２５】
このように、チューブ容器１００では、キャップ３０に注出口部２０の周壁２４の内周面に密着して嵌ることができる第１インナーリング３１ｃを設けたため、注出口部２０に開口を形成した後も、キャップ３０を注出口部２０に取り付けることにより、周壁２４と第１インナーリング３１ｃとにより注出口部２０の開口を密封して再封することができる。すなわち、チューブ容器１００では、最初の開封までの密封を行う注出口部２０の閉塞部２１と、再封後の密封を行う周壁２４と第１インナーリング３１ｃとの密着部とを異なる位置に設けることで、これらが互いに干渉することを避けることができるため、最初の開封までの密封と再封後の密封を両立させることができる。
【００２６】
また、チューブ容器１００では、注出口部２０に取り付けられた状態で、周壁２４の、胴部１０の底部１１と反対側の端縁に当接することができるコンタクトリング３１ｄを設けることにより、再封時には、周壁２４とコンタクトリング３１ｄとにより注出口部２０の開口をより確実に密封することができる。
【００２７】
また、チューブ容器１００では、蓋部３２が穴３１ｂを閉塞した状態で、互いに密着して嵌ることができる第２インナーリング３１ｅと蓋部３２のインナーリング３２ｃとを設けることにより、再封時には、第２インナーリング３１ｅとインナーリング３２ｃとにより注出口部２０の開口をより確実に密封することができる。
【００２８】
また、チューブ容器１００では、最初の開封までは周壁２４で囲まれた領域へ内容物が入ることがないため、周壁２４へガスバリア性を付与する必要がなくなるとともに、周壁２４を形成する樹脂への内容物の吸着量を減らすことが可能になる。
【００２９】
図３に示すように、キャップ３０の固定部３１に設けられた注出用の穴３１ｂの内周径はハーフカット２２の直径および摘み部２３のリング部２３ｂの外径より大きく形成されることが好ましい。これにより、摘み部２３を使って閉塞部２１に開口を形成する際に、固定部３１の穴３１ｂの外方から容易にリング部２３ｂを摘むことができるとともに、除去された閉塞部２１の一部を、穴３１ａを通して取り出すことが可能となる。このため、注出口部２０からキャップ３０を取り外すことなく、容易に注出口部２０に開口を形成することができる。
【００３０】
また、図１、図３に示すように、摘み部２３を、少なくとも一部が固定部３１の天板３１ａよりも外方側へ位置するように形成してもよい。これにより、リング部が穴３１ａよりも内方側にある場合と比べて摘み部２３が掴み易くなるため、より容易に注出口部２０に開口を形成することが可能になる。
【００３１】
（第２の実施形態）
キャップの形態は、注出口部２０に取り付けられた状態で、周壁２４の内周面に密着して嵌ることができるインナーリングを備えれば、ヒンジキャップに限定されない。例えば、図４に示す第２の実施形態に係るチューブ容器１０１のキャップ３０’のように、周壁２４に螺着させて取り付けることができるスクリューキャップであってもよい。キャップ３０’は、周壁２４の外周面に設けた外ネジ２４ａに螺着可能な内ネジ３０ｂと、注出口部２０に取り付けられた状態で、周壁２４の内周面に密着して嵌ることができる、天板３０ａから垂設されたインナーリング３０ｃと、周壁２４の胴部１０と反対側の端縁に当接するように設けられたコンタクトリング３０ｄとを含む形態としてもよい。
【００３２】
チューブ容器１０１でも、摘み部２３を所定の力で引っ張ることによりハーフカット２２に沿って閉塞部２１の一部を除去することで開口を形成することができるとともに、図３に示すように、外ネジ２４ａに内ネジ３０ｂを螺着させてキャップ３０’を注出口部２０に取り付けることにより、インナーリング３０ｃが周壁２４の内周面に密着して嵌ることができる。これにより、再封後も確実に密封をすることができるため、最初の開封までの密封と再封後の密封を両立させることができる。
【産業上の利用可能性】
【００３３】
本発明は、医薬品、化粧品、食品等を充填できる包装容器に用いることができる。
【符号の説明】
【００３４】
１０    胴部
１１    底部
１２    頂部
２０、２０’    注出口部
２１    閉塞部
２２    ハーフカット
２３    摘み部
２４    周壁
３０、３０’    キャップ
３０ａ    天板
３０ｂ    内ネジ
３０ｃ    インナーリング
３０ｄ    コンタクトリング
３１    固定部
３１ａ    天板  ３１ｂ    穴
３１ｃ    第１インナーリング
３１ｄ    コンタクトリング
３１ｅ    第２インナーリング
３１ｆ    係合壁
３２    蓋部
３３    ヒンジ部
１００、１０１    チューブ容器
【図１】
2020121732.tif 000003
【図２】
2020121732.tif 000004
【図３】
2020121732.tif 000005
【図４】
2020121732.tif 000006